(57)【特許請求の範囲】
【請求項１】
真空容器内に形成したプラズマを用いて真空容器内の試料の表面の膜をエッチング処理するプラズマ処理装置であって、
前記処理中の前記試料表面からの複数波長の干渉光を検出する検出器と、検出した干渉光の強度の変化を微分して実微分波形の時系列からなる実微分パターンを求める微分器と、前記処理中の試料の処理前に得られた別の試料の処理に関する複数波長の干渉光の強度の変化を微分した微分波形であって前記膜の複数の厚さに各々対応する複数の標準微分パターンを有した微分波形パターンデータベースと、前記試料の処理中の処理開始からの任意の時刻に得られた前記干渉光の強度の変化を微分した任意時刻における前記実微分パターンと前記微分波形パターンデータベースに格納された複数の前記標準微分パターンとを比較する微分波形比較器と、この比較の結果得られるパターンマッチング偏差値の最小値が設定される偏差値設定器と、前記パターンマッチング偏差値が最小となる前記標準微分パターンに対応する膜厚さに達したことを判定する判定器とを備え、この判定器は、判定した膜厚さの値と前記任意の時刻の直前の時刻において判定した膜厚さの値との差が所定値より大きい場合は、前記任意の時刻より前に判定された膜厚さから推測した膜厚さに達したことを判定するプラズマ処理装置。
【請求項２】
請求項１記載のプラズマ処理装置であって、
前記任意の時刻より前の所定の時間内の各時刻での膜の厚さの値を用いて、補間して得られた値を前記任意の時刻の膜厚さと判定する前記判定器を備えたプラズマ処理装置。
【請求項３】
請求項１または２に記載のプラズマ処理装置であって、外挿によって補間した値を用いる判定器を備えたプラズマ処理装置。
【発明の詳細な説明】
【技術分野】
【０００１】
本発明は、半導体集積回路の製造等における被処理材のエッチング量を発光分光法により検出する膜厚およびエッチング深さ測定方法とそれを用いた被処理材の処理方法に関し、特に、プラズマ放電を用いたエッチング処理により基板上に設けられる各種層のエッチング量を正確に測定し所望の膜厚およびエッチング深さとするのに適した被処理材の深さおよび膜厚測定方法および装置とそれを用いた被処理材の処理方法および装置に関する。
【背景技術】
【０００２】
半導体ウエハの製造では、ウエハの表面上に形成された様々な材料の層および特に誘電材料の層の除去またはパターン形成にドライエッチングが広く使用されている。プロセスパラメータの制御にとって最も重要なことは、このような層の加工中に所望の膜厚およびエッチング深さでエッチングを停止するためのエッチング終点を正確に決定することである。
【０００３】
半導体ウエハのドライエッチング処理中において、プラズマ光における特定波長の発光強度が、特定の膜のエッチング進行に伴って変化する。そこで、半導体ウエハのエッチング終点検出方法の１つとして、従来から、ドライエッチング処理中にプラズマからの特定波長の発光強度の変化を検出し、この検出結果に基づいて特定の膜のエッチング終点を検出する方法がある。その際、ノイズによる検出波形のふらつきに基づく誤検出を防ぐ必要がある。発光強度の変化を精度良く検出するための方法としては、移動平均法による検出方法（例えば、特許文献１参照）、１次の最小２乗法による近似処理によりノイズの低減を行う方法（例えば、特許文献２参照）等が知られている。
【０００４】
近年の半導体の微細化、高集積化に伴い開口率(半導体ウエハの被エッチング面積)が小さくなっており、光センサーから光検出器に取り込まれる特定波長の発光強度が微弱になっている。その結果、光検出器からのサンプリング信号のレベルが小さくなり、終点判定部は、光検出器からのサンプリング信号に基づいてエッチングの終点を確実に検出することが困難になっている。
【０００５】
また、エッチングの終点を検出し処理を停止させる際、実際には、誘電層の残りの厚さが所定値と等しいことが重要である。従来のプロセスでは、それぞれの層のエッチング速度が一定であるという前提に基づく時間厚さ制御技法を使用して、全体のプロセスを監視している。エッチング速度の値は、例えば、予めサンプルウエハを処理して求める。この方法では、時間監視法により、所定のエッチング膜厚に対応する時間が経過すると同時にエッチングプロセスが停止する。
【０００６】
しかし、実際の膜、例えばＬＰＣＶＤ(low pressure chemical vapor deposition)技法により形成されたＳｉＯ２層は、厚さの再現性が低いことが知られている。ＬＰＣＶＤ中のプロセス変動による厚さの許容誤差はＳｉＯ２層の初期厚の約１０％に相当する。したがって、時間監視による方法では、シリコン基板上に残るＳｉＯ２層の実際の最終厚さを正確に測定することはできない。そして、残っている層の実際の厚さは、最終的に標準的な分光干渉計を用いた技法により測定され、過剰エッチングされていると判明した場合は、そのウエハを不合格として廃棄することになる。
【０００７】
また、絶縁膜エッチング装置では、エッチングを繰り返すにつれてエッチング速度が低下するなどの経時的な変化が知られている。場合によっては、エッチングが途中でストップしてしまう場合もあり、その解決は必須である。それに加えて、エッチング速度の経時的な変動をモニターしておくこともプロセス安定稼動のためには重要であるが、従来の方法では、単に終点判定の時間モニターのみであり、エッチング速度の経時的な変化や変動に対処する適切な方法がなかった。しかも、エッチング時間が１０秒程度と短い場合の終点判定は、判定準備時間を短くする終点判定方法としなければならないことと、判定時間の刻みも十分短くする必要があるが、必ずしも十分ではない。さらに、絶縁膜では、被エッチング面積が１％以下の場合が多く、エッチングにともなって発生する反応生成物からのプラズマ発光強度変化が小さい。したがって、僅かな変化も検出することのできる終点判定システムが必要になるが、実用的で安価なシステムは見当たらない。
【０００８】
一方、半導体ウエハのエッチング終点検出方法の他の方法として干渉計を使用する様々な方法も知られている。すなわち、第１の方法は、赤、緑、青の３種類のカラーフィルタを用いて、干渉光（プラズマ光）を検出し、エッチングの終点検出を行う方法（例えば、特許文献３参照）である。第２の方法は、２つの波長の干渉波形の時間変化とその微分波形を用いて、干渉波形の極値（波形の最大、最小：微分波形の零通過点）をカウントする方法であり、カウントが所定値に達するまでの時間を計測することによりエッチング速度を算出し、算出したエッチング速度に基づき所定の膜厚に達する迄の残りのエッチング時間を求め、それに基づきエッチングプロセスの停止を行う方法（例えば、特許文献４参照）である。第３の方法は、処理前の干渉光の光強度パターン（波長をパラメータとする）と処理後または処理中の干渉光の光強度パターンとの差の波形（波長をパラメータとする）を求め、その差波形とデータベース化されている差波形との比較により段差（膜厚）を測定する方法（例えば、特許文献５参照）である。第４の方法は、回転塗布装置に関し、多波長にわたる干渉光の時間変化を測定して膜厚を求める方法（例えば、特許文献６参照）である。第５の方法は、干渉光の時間変化の特徴的な振る舞いを測定より求めデータベース化し、そのデータベースと測定される干渉波形との比較によりエッチングの終了判定を行い、この判定により、エッチングプロセス条件の変更を促す方法（例えば、特許文献７参照）である。
【０００９】
この干渉計使用法では、レーザから放出された単色放射線が異種材の積層構造を含むウエハに垂直入射角で当てられる。例えば、Ｓｉ３Ｎ４層の上にＳｉＯ２層積層が積層されているウエハにおいて、ＳｉＯ２層の上面で反射した放射光と、ＳｉＯ２層とＳｉ３Ｎ４層との間に形成された境界面で反射した放射光により、干渉縞が形成される。反射した放射光は、適当な検出器に照射され、これが、エッチング中のＳｉＯ２層の厚さによって強さが変化する信号を生成する。エッチングプロセス中、ＳｉＯ２層の上面が露出されると、ただちにエッチング速度と現行エッチング厚を連続して正確に監視することができる。レーザの代わりに、プラズマによって放出される所定の放射光を分光計によって計測する方法も知られている。
【００１０】
以上の公知の技術では、以下の問題点が生じる。
Ａ．厚膜加工プロセス（膜厚数μのレジストエッチバックなど）における膜厚判定では、干渉光の時間変化は複雑で数十周期以上となり、僅かな擾乱が判定に影響する
Ｂ．薄膜加工プロセス(ゲート酸化膜や酸化膜のエッチバックなど)における膜厚判定では、干渉光の微弱な変化を測定する必要があり、僅かな擾乱が判定に影響する。即ち、薄膜加工時の干渉光の時間変化は
１／２〜１／４周期以下となり、干渉縞の変化は僅かであり、膜厚判定ではノイズによる影響を除外する必要がある。
Ｃ．量産プロセスの加工用ウエハでは、周辺回路などが混在しており種々の材料（マスク材、被エッチング材、周辺回路にある他の材料）を同時にエッチンング処理するため、異なった材料からの干渉光が複雑に重畳される共に、加工用ウエハはロット内、またはロット間で、種々の材料の膜厚にはバラツキがあり、エッチング処理中の干渉光の時間変化はロット内、またはロット間で変動する。
Ｄ．少量多品種の量産処理では、様々なエッチングプロセスが混在するため、エッチング装置は経時変化しやすく、異常放電などが起こりプラズマが変動する。そのため、プラズマ発光が変化し干渉光に擾乱が重畳され判定に影響する。
【００１１】
以上の点から、被処理層、特に、プラズマエッチング処理における被処理層の残膜量やエッチング深さを、要求される測定精度で正確に測定、制御することは困難であった。
【特許文献１】特開昭６１−５３７２８号公報
【特許文献２】特開昭６３−２００５３３号公報
【特許文献３】特開平５−１７９４６７号公報
【特許文献４】特開平８−２７４０８２号公報（米国特許第５６５８４１８号明細書）
【特許文献５】特開２０００−９７６４８号公報
【特許文献６】特開２０００−１０６３５６公報
【特許文献７】米国特許第６０８１３３４号明細書
【発明の開示】
【発明が解決しようとする課題】
【００１２】
本発明の目的は、半導体素子製造プロセスにおけるプラズマエッチング処理において、被処理層の実際の残膜量やエッチング深さをオンラインで正確に測定することのできる被処理材の膜厚またはエッチング深さ測定方法を用いたエッチング終点判定方法およびこの終点判定方法を実行するプラズマ処理装置と、それを用いた被処理材のプラズマ処理方法およびプラズマ処理装置を提供することにある。
【００１３】
本発明の他の目的は、半導体素子製造プロセスにおいて、半導体素子の各層をオンラインで所定の膜厚およびエッチング深さに高精度に制御できるエッチング処理方法を提供することにある。
【００１４】
本発明の他の目的は、半導体素子製造プロセスにおいて、被処理層の実際の膜厚およびエッチング深さをオンラインで正確に測定することのできる被処理材の膜厚やエッチング深さ測定装置を提供することにある。
【課題を解決するための手段】
【００１５】
本願発明者等は、上記の従来技術の問題点を解消すべく、また上記本願発明の目的を達成すべく、複数の波長の各々についてその干渉波形の時間微分の波形を求め、それに基づき、干渉波形の微分値の波長依存性を示すパターン、（即ち、波長をパラメータとする干渉波形の微分値のパターン）を求め、そのパターンを用いて膜厚の測定を行う場合に、以下のような誤動作防止策を図ったものである。
【００１６】
１）被エッチング材料のエッチング量（膜厚や深さ）に応じた干渉波形の標準パターンのデータベースにおいて、目標エッチング量以下の標準パターンとの比較は行わない。
２）エッチング時に測定される干渉波形のパターンと標準パターンとのパターンマッチングにおいて、その標準偏差値を監視し、その値が大きい場合、その時刻のエッチング量は過去のエッチング量推移より予測する。
３）標準パターンとのパターンマッチングより求まるエッチング量が、過去のエッチング量推移より予測される量と大きく異なっている場合は、その時刻のエッチング量は過去のエッチング量推移より予測する。
４）過去のエッチング量推移より求められるエッチング速度と標準パターンのデータベースのエッチング速度を比較し、エッチング速度が大きく異なっている場合は、その時刻のエッチング量は過去のエッチング量推移より予測する。
【００１７】
本願発明において、干渉波形の時間微分値の波長依存性を示すパターンを用いる理由は、エッチング中のin-situ（リアルタイム）測定を前提にした計測であるため、被処理膜の膜厚は時々刻々変化している。従って、干渉波形の時間微分処理が可能であり、干渉光強度測定で問題となる測定窓の汚れや削れなどの影響を低減できるためであるが、必ずしも、干渉波形の時間微分処理を行わなくてもよい。
【００１８】
また、装置の経時変化に伴う異常放電などによりプラズマ発光が急激に変化した場合、過去の発光波形との比較によりその変化量(比：補正係数)を求め、その補正係数により現在以降の発光波形を修正し、干渉光によるエッチング量測定やプラズマ発光によるエッチング終点判定を行う。
【００１９】
本発明者等は、上記の従来技術の問題点を解消すべく、また、上記本発明の目的を達成すべく、プラズマ処理中の試料(半導体素子)からの反射波の複数の波長の各々についてその干渉波形の時間微分の時系列に並べた波形を求め、それに基づき、干渉波形の微分値の波長依存性を示すパターン、すなわち、波長をパラメータとする干渉波形の微分値を時系列に並べたパターンを求め、前記処理中の試料の処理前に得られた別の試料の処理に関する複数波長の干渉光の強度の変化を微分した微分値を時系列に並べたパターンであって前記試料の被処理膜の複数の厚さに各々対応する複数の標準微分波形のパターンとを用いて膜厚の測定を行うことを発明した。
【００２０】
本発明において、干渉波形の時間微分値の波長依存性を示すパターンを用いる理由は、以下の通りである。
Ａ．本発明は、エッチング中のｉｎ−ｓｉｔｕ（リアルタイム）測定を前提にした計測であることから、時々刻々変化している被処理膜の残存膜厚を、干渉波形を用いて時間微分処理が可能であり、更に、この微分処理により干渉波形のノイズの除去を行えるからである。
Ｂ．また、エッチングされる材料（例えば、シリコンとマスク材の窒化膜）の屈折率が波長に対し異なっていることから、多波長にわたる干渉光計測によりそれぞれの物質の特徴的な変化（膜厚依存）を検出可能となるからである。
【００２１】
本発明の一例によれば、被処理材のエッチング量測定方法である残存膜厚測定方法およびエッチング深さ測定方法は、
Ａ．第１の（サンプル用）被処理材の所定エッチング量に対する干渉光の微分値の、波長をパラメータとする標準微分パターンＰＳを設定するステップと、
Ｂ．前記第１の被処理材が削れないようにするマスク材の所定エッチング量に対する干渉光の微分値の、波長をパラメータとする標準微分パターンＰＭを設定するステップと、
Ｃ．前記第１の被処理材と同一構成のエッチング処理実行用の第２の被処理材についての干渉光の強度を複数波長についてそれぞれ測定し、該測定された干渉光強度の微分値の波長をパラメータとする実微分パターン（Ｐｒ）を求めるステップと、
Ｄ．前記標準微分パターン（ＰＳとＰＭ）と前記微分値の実微分パターン（Ｐｒ）とに基づき、前記第２の被処理材のエッチング量を求めるステップと、を備える。
すなわち、本プラズマ処理装置の発明は、真空容器内に形成したプラズマを用いて真空容器内の試料の表面の膜をエッチング処理するプラズマ処理装置であって、前記処理中の前記試料表面からの複数波長の干渉光を検出する検出器と、検出した干渉光の強度の変化を微分して実微分波形の時系列からなる実微分パターンを求める微分器と、前記処理中の試料の処理前に得られた別の試料の処理に関する複数波長の干渉光の強度の変化を微分した微分波形であって前記膜の複数の厚さに各々対応する複数の標準微分パターンを有した微分波形パターンデータベースと、前記試料の処理中の処理開始からの任意の時刻に得られた前記干渉光の強度の変化を微分した任意時刻における前記実微分パターンと前記微分波形パターンデータベースに格納された複数の前記標準微分パターンとを比較する微分波形比較器と、この比較の結果得られるパターンマッチング偏差値の最小値が設定される偏差値設定器と、前記パターンマッチング偏差値が最小となる前記標準微分パターンに対応する膜厚さに達したことを判定する判定器とを備え、この判定器は、判定した膜厚さの値と前記任意の時刻の直前の時刻において判定した膜厚さの値との差が所定値より大きい場合は、前記任意の時刻より前に判定された膜厚さから推測した膜厚さに達したことを判定することを特徴とする。
さらに、前記任意の時刻より前の所定の時間内の各時刻での膜の厚さの値を用いて、補間して得られた値を前記任意の時刻の膜厚さと判定する前記判定器を備えたことを特徴する。
さらに、外挿によって補間した値を用いる判定器を備えたことを特徴とする。
【発明の効果】
【００２２】
本発明によれば、プラズマ処理の、特にプラズマエッチング処理において、被処理層の実際のエッチング量をオンラインで正確に測定することのできる被処理材の残存膜厚またはエッチング深さ測定方法と、それを用いた被処理材の試料の処理方法を提供することができる。
【００２３】
また、半導体素子(半導体デバイス)の各層をオンラインで所定のエッチング量になるように高精度に制御できるエッチングプロセスを提供することができる。さらに、被処理層の実際のエッチング量をオンラインで正確に測定することのできる被処理材の残存膜厚測定装置またはエッチング深さ測定装置を提供することができる。
【発明を実施するための最良の形態】
【００２４】
以下に、本発明の各実施例を説明する。なお、以下の各実施例において、第１の実施例と同様の機能を有する要素は、第１の実施例と同一の符号を付してその詳細な説明を省略する。
【実施例１】
【００２５】
以下、図１〜図５を用いて本発明の第１の実施例を説明する。第１の実施例は、半導体ウエハ等の被処理材をプラズマエッチングする際に、サンプル用の被処理材(第１の被処理材)の各層のエッチング量に対する、干渉光の微分値の波長依存性を示す（波長をパラメータとする）標準微分パターンＰＳを設定し、次に、サンプル用被処理材と同一構成の被処理材(第２の被処理材)についての実際の処理におけるプラズマエッチング処理開始からの任意の時刻の干渉光の複数波長の強度をそれぞれ測定し、該測定された干渉光強度の微分値の波長依存性を示す（波長をパラメータとする）実微分パターン（Ｐｒ）を求め、微分値の標準微分パターン（Ｐｓ）と実微分パターン（Ｐｒ）とを比較して、被処理材のエッチング量を求めるものである。
【００２６】
まず、図１を用いて、本発明にかかるエッチング量（マスク材の残存膜厚またはシリコンのエッチング深さ）測定装置を備えた半導体素子が形成される半導体ウエハのエッチング装置であるプラズマ処理装置の全体構成を説明する。エッチング装置(プラズマ処理装置)１は、真空容器２を備えており、その内部に図示を省略したガス導入手段から導入されたエッチングガスがマイクロ波電力等により分解しプラズマ３となり、このプラズマ３により試料台５上の半導体ウエハ等の被処理材４がエッチングされる。エッチング量（マスク材の残存膜厚またはシリコンのエッチング深さ）測定装置１０の分光器１１が有する測定用光源（例えばハロゲン光源）からの多波長の放射光が、光ファイバー８により真空容器２内に導かれ、被処理材４に垂直入射角で当てられる。被処理材４からの干渉光は光ファイバー８を介してエッチング量測定装置１０の分光器１１に導かれ、その状態に基づきシリコンのエッチング深さまたはマスク材の残存膜厚測定やエッチング処理の終点判定の処理を行う。
【００２７】
エッチング量測定装置１０は、分光器１１と、第１ディジタルフィルタ回路１２と、微分器１３と、第２ディジタルフィルタ回路１４と、微分波形比較器１５と、微分波形パターンデータベース１６と、パターンマッチング偏差比較器１１５と、偏差値設定器１１６と、残膜厚さ時系列データ記録器１８、回帰分析器１９と、終点判定器２３０および終点判定器の結果を表示する表示器１７を備えている。なお、図１は、エッチング量測定装置１０の機能的な構成を示したものであり、表示器１７と分光器１１を除いたエッチング量測定装置１０の実際の構成は、ＣＰＵや、マスク材残存膜厚測定処理プログラムまたはシリコンのエッチング深さ測定処理プログラムや干渉光の微分波形パターンデータベース等の各種データを保持したＲＯＭや測定データ保持用のＲＡＭおよび外部記憶装置等からなる記憶装置、データの入出力装置、および通信制御装置により構成することができる。
【００２８】
分光器１は、測定用光源（例えばハロゲン光源）からの多波長の放射光をが、光ファイバー８により真空容器２内に導かれ、被処理材４に垂直入射角で当てられる。被処理材４からの干渉光は光ファイバー８を介してエッチング量測定装置１０の分光器１１に導かれ、その状態に基づきシリコンのエッチング深さ測定またはマスク材の残存膜厚測定やエッチング処理の終点判定の処理を行う。
【００２９】
分光器１１が取り込んだ多波長の干渉光の発光強度は、それぞれ特定波長毎に発光強度に応じた電流検出信号となり電圧信号へ変換される。分光器１１によりサンプリング信号として出力された複数の特定波長（ｊ個）の信号は、時系列データｙｉ，ｊとして図示を省略したＲＡＭ等の記憶装置に収納される。時刻ｉにおける時系列データｙｉ，ｊは次に、第１ディジタルフィルタ回路１２により平滑化処理され平滑化時系列データＹｉ，ｊとして図示を省略したＲＡＭ等の記憶装置に収納される。この平滑化時系列データＹｉ，ｊを基に、微分器１３により微係数値（１次微分値あるいは２次微分値）の時系列データｄｉ，ｊが算出され、図示を省略したＲＡＭ等の記憶装置に収納される。微係数値の時系列データｄｉ，ｊは、第２ディジタルフィルタ回路１４により、平滑化処理され平滑化微係数時系列データＤｉ，ｊとして図示を省略したＲＡＭ等の記憶装置に収納される。そして、この平滑化微係数時系列データＤｉ，ｊから干渉光強度の微分値の波長依存性を示す（波長ｊをパラメータとする）実微分パターン（Ｐｒｊ）＝Σｊ（Ｄｉ，ｊ）が求められる。
【００３０】
一方、微分波形パターンデータベース１６には、予め第１の(サンプル用)被処理材を用いて取得したエッチング量測定の対象となる被処理材の残存膜厚ｓで表されたエッチング深さに対応した前記各波長に対する干渉光強度の微分波形パターンデータ値ＰＳｊが設定されている。微分波形比較器１５において、実微分パターンＰｒｊ＝Σｊ（Ｄｉ，ｊ）と膜厚ｓの微分波形パターンデータ値ＰＳｊが比較される。パターンマッチング偏差比較器１１５において、パターンマッチング偏差（σｓ＝√（Σｊ（Ｄｉ，ｊ−ＰＳｊ）×（Ｄｉ，ｊ−ＰＳｊ）／ｊ））が最小となるパターンマッチング偏差値(最小)σｓを求め、偏差値設定器１１６に予め設定されたパターンマッチング偏差値(設定)σ０と比較し、パターンマッチング偏差値(最小)σｓがパターンマッチング偏差値(設定)σ０以下であれば時刻ｉの瞬時膜厚Ｚｉとして膜厚値ｓを膜厚時系列データ記録器１８に保存する。パターンマッチング偏差値(最小)σｓがパターンマッチング偏差値(設定)σ０以上の時は時刻ｉの瞬時膜厚Ｚｉを保存しない。
【００３１】
回帰分析器１９において、時刻ｉ以前の瞬時膜厚データを用いた回帰直線近似より時刻ｉの計算膜厚Ｆを求める。この計算膜厚Ｆが予め設定された目標膜厚以下であるかどうかを終点判定器２３０で判定する。以上の処理により求められた被処理材のエッチング量の結果は、結果表示器１７により表示される。
【００３２】
なお、第１の実施例では分光器１１が１個だけの場合を示してあるが、被処理材の面内を広く測定して制御したい場合には、複数の分光器１１を設ければよい。
【００３３】
次に、図２のフローチャートを用いて、図１のエッチング量測定装置１０でエッチング処理を行う際に、被処理材のエッチング量を求める手順について説明する。
【００３４】
最初に、目標エッチング量（目標残存膜厚さ値）の設定と、微分波形パターンデータベース１６より波長域（少なくとも３個の波長域）の抽出された微分パターン（残膜厚さ標準微分パターン）ＰＳｊとパターンマッチング偏差値(設定)σ０の設定を行う（ステップ６００）。すなわち、予め微分波形パターンデータベース１６に被処理材の処理条件に応じて必要とされるエッチング量(残存膜厚さ)ｓに対応した標準微分パターンＰＳｊを設定する。
【００３５】
次のステップにおいて、被処理体からの干渉光のサンプリング（例えば０．２５〜０．５秒毎に）を開始する（ステップ６０１）。すなわち、エッチング処理開始に伴い、サンプリング開始命令が出される。エッチングの進行に従って変化する多波長の発光強度が、光検出器(分光器１１)により発光強度に応じた電圧の光検出信号として検出される。分光器１１の各波長ｊ毎の光検出信号は、ディジタル変換され、サンプリング信号ｙｉ，ｊを取得する。
【００３６】
次に、分光器１１からの多波長出力信号ｙｉ，ｊを第１段目のディジタルフィルタ１２により平滑化し、平滑化時系列データＹｉ，ｊを算出する（ステップ６０２）。すなわち、第１段目のディジタルフィルタによりノイズを低減し、平滑化時系列データＹｉ，ｊを求める。
【００３７】
次に、微分器１３において、平滑化時系列データＹｉ，ｊを微分してＳ−Ｇ法により、各波長毎の微係数ｄｉ，ｊを算出する（ステップ６０３）。すなわち、微分処理（Ｓ−Ｇ法）により各波長毎の信号波形の微係数（１次または２次）ｄi，ｊを求める。さらに、第２段目のディジタルフィルタ１４により平滑化微係数時系列データＤｉ，ｊを算出する（ステップ６０４）。そして、微分波形比較器１５において、マッチングパターン偏差値(最小)σｓ＝√（Σ(Ｄｉ，ｊ−ＰＳj)2／ｊ）値の算出を行い、残存膜厚ｓに対するマッチングパターン偏差値(最小)σｓのもっとも小さい最小値σを求める（ステップ６０５）。
【００３８】
次に、パターンマッチング偏差比較器１１５において、算出したマッチングパターン偏差値（最小値）σとマッチングパターン偏差値(設定)σ０とを比較するσ≦σ０の判定を行い（ステップ６０６）、σ≦σ０の場合、被処理材膜厚が残存膜厚ｓになったものとして時刻ｉの瞬時膜厚Ｚｉを残膜厚さ時系列データ記録器１８に保存する（ステップ６０７）。σ≦σ０でない場合、時刻ｉの瞬時膜厚Ｚｉは標準微分パターンのデータベースからは求まらず、瞬時膜厚は残膜厚さ時系列データ記録器１８に保存しない（ステップ６０８）。これらの平滑化微係数時系列データＤｉ，ｊと予め微分波形比較器１５に設定された微分パターンＰＳjを比較し、その時刻での残存膜厚値Ｚｉを算出する（ステップ６１５）。
【００３９】
次に、収納された過去の時系列データＺｉを用いて、回帰分析器１９により１次回帰直線Ｙ＝Ｘａ×ｔ＋Ｘｂ（Ｙ：残膜量、ｔ：エッチング時間、Ｘａ：絶対値がエッチング速度、Ｘｂ：初期膜厚）を求め、この回帰直線より時刻ｉ（現時点）の計算残膜量Ｆを算出する（ステップ６０９）。次に、終点判定器２３０において、計算残膜量Ｆと目標残存膜厚さ値を比較してエッチング量(残存膜厚値)を判定し、目標残存膜厚さ値以下であれば被処理材のエッチング量が所定値になったものとしてその結果を表示器１７に表示する（ステップ６０９）。目標残存膜厚さ値以上である場合、ステップ６０２に戻り、これらのステップを繰り替えす。最後に、ステップ６１０で計算算膜量Ｆが目標残存膜厚さ値以下の場合は、サンプリング終了の設定を行う（ステップ６１１）。
【００４０】
ここで、ある波長ｊに関する時刻ｉの平滑化微係数時系列データＤｉの算出について説明する。第１のディジタルフィルタ回路１２としては、例えば２次バタワース型のローパスフィルタを用いる。２次バタワース型のローパスフィルタにより平滑化時系列データＹｉは式（１）により求められる。
【００４１】
Ｙｉ＝ｂ１ｙｉ＋ｂ２ｙｉ−１＋ｂ３ｙｉ−２
−[ａ２Ｙｉ−１＋ａ３Ｙｉ−２]……（１）
【００４２】
ここで、係数ｂ、ａは、サンプリング周波数およびカットオフ周波数により数値が異なる。例えば、ａ２＝−１．１４３、ａ３＝０．４１２８、ｂ１＝０．０６７４５５、ｂ２＝０．１３４９１、ｂ３＝０．０６７４５５（サンプリング周波数１０Ｈｚ、カットオフ周波数１Ｈｚ）やａ２＝−０．０００７３６１２、ａ３＝０．１７１５７、ｂ１＝０．２９２７１、ｂ２＝０．５８５４２、ｂ３＝０．２９２７１（カットオフ周波数２．５Ｈｚ）などが利用される。
【００４３】
２次微係数値の時系列データｄｉは、微分器（微係数演算回路）１３により５点の時系列データＹｉの多項式適合平滑化微分法を用いて、下記式（２）から以下のように算出される。
ｊ＝２
ｄｉ＝ΣｗｊＹｉ＋ｊ……（２）
ｊ=−２
ここで、ｗ−２＝２、ｗ−１＝−１、ｗ０＝−２、ｗ１＝−１、ｗ２＝２、である。
【００４４】
前記微係数値の時系列データｄｉを用いて、平滑化微係数時系列データＤｉは第２のディジタルフィルタ回路（２次バタワース型のローパスフィルタ、但し、ディジタルフィルタ回路のａ、ｂ係数とは異なっても良い）１４により、下記式（３）により求められる。
【００４５】
Ｄｉ＝ｂ１ｄｉ＋ｂ２ｄｉ−１＋ｂ  ３ｄｉ−２
−[ａ  ２Ｄｉ−１＋ａ  ３Ｄｉ−２]……（３）
【００４６】
図３に、ポリシリコンをエッチング処理し、ポリシリコン膜厚４５ｎｍで判定した場合の干渉強度とエッチング時間の関係を示す。被エッチング処理材のポリシリコンの初期膜厚は約１７０ｎｍであり、図には、ウエハ表面から観測される波長５００ｎｍの干渉光波形、その１次微分波形およびウエハ表面を見ないようにして観測される波長５００ｎｍのプラズマ光（参照光）、そして、標準微分パターンとのマッチング比較により求めたエッチング処理中のポリシリコン膜厚の時間変化（瞬時膜厚推移）を示す。ここで、瞬時膜厚推移は、各時刻での１次微分パターンをそれぞれの膜厚に対応する標準微分パターンと比較し、パターンマッチングの偏差が最も小さいものを選択し、その膜厚変化をプロットしたものである。
【００４７】
図４に、上記ポリシリコンのエッチングを継続的に処理している時に発生した瞬時膜厚推移の変動を示す。図では、瞬時膜厚がエッチング処理時間約２５から約３１秒の間に、瞬時膜厚が急激に低下し、膜厚は約１０ｎｍに達している。この現象はチャンバ内の一部分に蓄積した反応生成物によりエッチングプラズマが僅か変化したり、プラズマを生成する電力が僅か変動することにより発生すると考えられるが、エッチング処理時間約２５から約３０秒の間のみ瞬時膜厚が急激に低下し、その後、瞬時膜厚の推移は元に戻り、エッチング処理は正常に終了している。この様な瞬時膜厚の変動があった場合、例えば、膜厚４５ｎｍの膜厚判定は時刻２５秒で判定膜厚以下となるため、膜厚約１００ｎｍでエッチング処理を終了し、不良品を製造することになる。したがって、膜厚判定システムはこのような変動に対応して正確な膜厚判定を行う必要がある。
【００４８】
ここで、瞬時膜厚の急激な低下を防ぐために、干渉波形の挙動を解析した。一般的に、干渉波形変化は、物質が薄膜化すると、多くの波長域で干渉光の変化がなくなってくるため、それらの波長における１次微分変化は同時にゼロに近づく。また、プラズマの変動があった場合にも、多くの波長域でその変化は同時に起こり、それらの波長の１次微分は同時に変化し、変動が緩和するとともにゼロに近づき、この微分の挙動は薄膜時の干渉光変化に類似するものである。したがって、このような急激な変動を防ぐためには、膜厚測定に用いる標準微分パターンの内、できるだけ膜厚が薄いデータを使用しないようにすることである。すなわち、目標とする判定膜厚より薄い膜厚の標準微分パターンは、エッチング処理中の瞬時膜厚を求めるために使用しないように、標準微分パターンとのパターンマッチング処理を行うことである。
【００４９】
図５に、パターンマッチング処理に用いる標準微分パターンの最小膜厚を２０ｎｍとした場合の結果を示す。図より、プラズマの変動があるエッチング処理時間約２５から約３０秒の急激な膜厚低下は回避できることがわかる。また、変動のある時刻でのパターンマッチング処理の結果、パターンマッチング偏差は０．０５以上となっており、標準微分パターンと実微分パターンがマッチングする膜厚が存在しないため、標準微分パターン作成時の初期膜厚となっている。膜厚測定に用いる膜厚に対する標準微分パターンの設定は、図２のフローチャートにおいて、ステップ６００で目標残存膜厚さ値をセットされた際に、この値をもとに標準微分パターンの最小膜厚を定め、この膜厚以上の標準微分パターンを採用する。
【００５０】
次に、プラズマ変動を回避する別の実施例を示す。ここでは、プラズマ変動があった場合、パターンマッチング偏差が大きくなることを利用するものである。一般的に、エッチング処理を開始後、膜厚判定のための微分処理を開始数秒は、プラズマ着火の影響を受けて干渉波形が僅かに乱れパターンマッチング偏差値σが悪くなる。この時刻でのパターンマッチング偏差値(設定)σ０を基準として、その時刻以降のパターンマッチング偏差値σを算出し、そのパターンマッチング偏差値σがパターンマッチング偏差値(設定)σ０より大きい場合には、標準微分パターンとのパターンマッチングが十分でないとし、瞬時膜厚Ｚｉを標準微分パターンからは求めないで、例えば、データベース（標準微分パターン）の初期膜厚と設定するものである。そして、この時刻の初期膜厚となった瞬時膜厚データは、計算膜厚Ｆを求めるための回帰直線近似解析には用いない。
【実施例２】
【００５１】
図６に、第２の実施例である、微分処理開始２秒間のパターンマッチング偏差値σ０＝０．０４を用いて、エッチング処理中の時刻ｉの瞬時膜厚Ｚｉを求め、時刻ｉ以前の瞬時膜厚Ｚｉの時系列データをもとに回帰直線近似から時刻ｉの計算膜厚Ｆを算出した結果を示す。図より、求められた膜厚推移はプラズマ変動に影響されず、安定に推移し十分膜厚判定が行えることがわかる。ここでは、パターンマッチング偏差値σ０をウエハ処理毎に微分処理開始後の数秒間で求め、パターンマッチング判定を行っているが、ウエハ処理を複数枚行い、それぞれのパターンマッチング偏差値σ０の平均値を、図２のフローチャートにおいて、ステップ６００で設定してもよい。
【００５２】
半導体ウエハから半導体デバイスを製造するためプラズマを用いて半導体ウエハを処理するような量産の工程では、本発明のようなプラズマ処理装置は連続的に運転されることになり、被処理材の枚数の増大に伴なって処理室内部の部材表面に生成物が付着して堆積する等の処理室内の条件が変動し、これが処理室内で生成されるプラズマの状態を変動させ処理の結果得られる表面の形状を変動させることになる。そこで、上記量産において被処理材を処理した結果の変動を制御するような工程の管理が必要となる。本実施例において、このような量産管理を行う場合には、パターンマッチング偏差値が予め定められた値より大きくなった回数を被処理材であるウエハ毎の処理で監視し、その回数を図示を省略した記録器やカウンタ等により計数する。このような計数はパターンマッチング偏差比較器１１５で行ってもよい。
【００５３】
さらに、その回数の推移を所定の値（例えば、回数の値や増加率に関する所定の値）と比較することにより、装置状態やウエハエッチング状態を把握することができる。すなわち、上記回数が徐々に大きくなった場合には、前記回数の所定値をウエットクリーニング等プラズマ処理装置内のメンテナンスを開始する目安としたり、回数が急激に大きくなり増加率がその所定値より大きくなった場合には、処理対象のウエハの検査工程にそのウエハを搬送する等の処置の必要性を使用者に報知したり警告したりする。このような報知や警告は、パターンマッチング偏差比較器１１５からの指令に応じて例えば図１等の表示器１７に表示される。
【実施例３】
【００５４】
次に、プラズマ変動を回避する第３の実施例を説明する。ここでは、上記したパターンマッチング偏差比較による瞬時膜厚推移の安定化ではなく、エッチング処理中の時刻ｉの瞬時膜厚Ｚｉを求め、時刻ｉ以前の瞬時膜厚Ｚｉの時系列データをもとに回帰直線近似から時刻ｉの計算膜厚Ｆを算出する際に、計算膜厚Ｆと瞬時膜厚Ｚｉとの差（絶対値）が予め設定されるある膜厚許容値以上であった場合は、時刻ｉの瞬時膜厚Ｚｉは正確な膜厚ではないと判断し、この瞬時膜圧Ｚｉを時刻ｉ以降の回帰直線近似による計算膜厚算出には用いない方法で行った結果を図７に示す。図７より、この方法でも同様に図４に示すプラズマの変動があるエッチング処理時間約２５から約３０秒の急激な変化を回避できることがわかる。ここでは、膜厚許容値としては２０ｎｍを用いた。この膜厚許容値の設定は、エッチング処理時に現れる干渉波形の変化より決めることができる。例えば、被エッチング材のポリシリコン初期膜厚２００ｎｍがエッチングされる際、波長５００ｎｍでの干渉波形は約７／２周期あり、干渉波形の１／４周期以内（微分値の符号が異なる）を正確に判断すればよく、その膜厚は約２０ｎｍとなる。
【実施例４】
【００５５】
次に、量産処理中のエッチング速度はほぼ一定であり、エッチング速度の変動は大きくても±１０％程度であることを利用した膜厚測定の誤判定回避に関する第４の実施例を説明する。図３の瞬時膜厚推移より、正常なエッチング処理（３２−６０秒間）の瞬時膜厚Ｚｉ変化の傾きは一定であり、その傾きより求めたエッチング速度は約１２３ｎｍ／ｍｉｎである。一方、図４のプラズマが変動した時間（２５−３１秒間）における瞬時膜厚変化の傾きは、正常なエッチング処理間に比べ小さい事がわかる。量産処理において、エッチング速度が倍あるいは半分になる場合は、エッチング処理が異常であり、エッチング装置のウエットクリーニング等の処理を行い、エッチング装置を正常に戻す必要がある。図８に、第４の実施例にかかる膜圧判定器を備えたプラズマ処理装置の構成を、また、膜厚判定のフローチャートを図９に示す。
【００５６】
第４の実施例は、図８に示すように、図１に示したプラズマ処理装置のエッチング量測定装置１０の回帰分析器１９と終点判定器２３０の間に、残膜厚さ比較器２０と、エッチング速度比較器２１を付加した点に特徴を有している。
【００５７】
図９に示すように、最初に、目標エッチング量（目標残存膜厚さ値）の設定と、微分波形パターンデータベースより波長域（少なくとも３個の波長域）の抽出された微分パターン（残膜厚さ標準微分パターン）ＰＳｊおよびパターンマッチング偏差値(設定)σ０および膜圧許容値Ｚ０ならびにエッチング速度許容値Ｒ０の設定を行う（ステップ１６００）。
【００５８】
次のステップにおいて、干渉光のサンプリング（例えば０．２５〜０．５秒毎に）を開始する（ステップ１６０１）。すなわち、エッチング処理開始に伴い、サンプリング開始命令が出される。エッチングの進行に従って変化する多波長の発光強度が、光検出器により発光強度に応じた電圧の光検出信号として検出される。分光器１１の光検出信号は、ディジタル変換され、サンプリング信号ｙｉ，ｊを取得する。
【００５９】
次に、分光器１１からの多波長出力信号ｙｉ，ｊを第１段目のディジタルフィルタ１２により平滑化し、平滑化時系列データＹｉ，ｊを算出する（ステップ１６０２）。すなわち、第１段目のディジタルフィルタによりノイズを低減し、平滑化時系列データＹｉ，ｊを求める。
【００６０】
次に、微分器１３において、Ｓ−Ｇ法により、微係数ｄｉ，ｊを算出する（ステップ１６０３）。すなわち、微分処理（Ｓ−Ｇ法）により信号波形の微係数（１次または２次）ｄiを求める。さらに、第２段目のディジタルフィルタ１４により平滑化微係数時系列データＤｉ，ｊを算出する（ステップ１６０４）。そして、微分波形比較器１５において、マッチングパターン偏差値(最小)σｓ＝√（Σ(Ｄｉ，ｊ−ＰＳj)2／ｊ）値の算出を行い、膜厚ｓに対するマッチングパターン偏差値(最小)σｓのもっとも小さい最小値σを求める（ステップ１６０５）。
【００６１】
次に、パターンマッチング偏差比較器１１５において、算出したマッチングパターン偏差値（最小値）σとマッチングパターン偏差値(設定)σ０とを比較するσ≦σ０の判定を行い（ステップ１６０６）、σ≦σ０の場合、被処理材膜厚が膜厚ｓになったものとして時刻ｉの瞬時膜厚Ｚｉを残膜厚さ時系列データ記録器１８に保存する（ステップ１６０７）。σ≦σ０でない場合、時刻ｉの瞬時膜厚Ｚｉは標準微分パターンのデータベースからは求まらず、瞬時膜厚は残膜厚さ時系列データ記録器１８に保存しない（ステップ１６０８）。
【００６２】
処理中のエッチング速度は、残膜厚さ時系列データ記録器１８のデータをもとに、回帰分析器１９において、１次回帰直線近似から計算膜厚Ｆとその傾きＸａを求める（１６０９）。次に、残膜厚さ比較器２０において、瞬時膜厚Ｚｉが計算膜厚Ｆと膜厚許容値ｚ０より制限される膜厚であるか否か（Ｆ−ｚ０≦Ｚｉ≦Ｆ＋ｚ０）を判定し、または、エッチング速度比較器２１において、回帰近似より求めた直線の傾きＸａが標準微分パターン作成時のエッチング速度Ｒとエッチング速度許容値Ｒ０により制限されるエッチング速度であるか否か（Ｒ−Ｒ０≦Ｘａ≦Ｒ＋Ｒ０）を判定し、（Ｆ−ｚ０≦Ｚｉ≦Ｆ＋ｚ０）あるいは（Ｒ−Ｒ０≦Ｘａ≦Ｒ＋Ｒ０）である場合には、瞬時膜厚Ｚｉが残膜厚さ時系列データ記録器１８に収納され(ステップ１６１２)、その他の場合は、収納されない（ステップ１６１１）。
【００６３】
次いで、膜厚判定は計算膜厚Ｆにより行われ、目標残存膜厚さ値以下であれば被処理材のエッチング量が所定値になったものとしてその結果を表示器１７に表示する（ステップ１６１３）。エッチング中の膜厚変化の状態は、この計算膜厚Ｆを表示することにより可能である。目標残存膜厚さ値以上である場合、ステップ１６０２に戻り、これらのステップを繰り返す。最後に、サンプリング終了の設定を行う（ステップ１６１４）。
【００６４】
図１０に、第４の実施例における膜厚許容範囲値２０ｎｍ、エッチング速度許容５０％（エッチング速度１１７ｎｍ／ｍｉｎ）設定および最小膜厚１ｎｍ（目標残存膜厚さ値５０ｎｍ）設定を行った時の計算膜厚推移結果を示す。図より、計算膜厚Ｆはプラズマ変動に影響されずに、安定に推移し目標膜厚５０ｎｍの判定が可能であることがわかる。ここで、目標膜厚とはエッチング処理によって得ようとする目標となる膜厚であり、最小膜厚とは最小値を判定するときに判定可能な膜圧の最小値である。この実施例においては、膜厚許容範囲値が２０ｎｍであるので、残存する膜厚は目標膜厚５０ｎｍ±２０ｎｍであればよく、３０ｎｍの最小膜厚値を検出できれば、突然それ以下の膜圧を検出したとしてもこの値を無視することができる。
【００６５】
残膜厚さ時系列データ記録器１８に収納されなかった瞬時膜厚のデータ個数は、エッチング処理が正常に行われた場合、ほぼゼロであるが、エッチング装置の経時変化によって装置のエッチング特性が変わると、干渉微分パターンのマッチングが悪化し収納されないデータ点数が増加する。また、処理するウエハの仕様に変動があると、パターンマッチングが悪くなりデータ点数が増加する。従って、量産工程では、残膜厚さ時系列データ記録器１８に収納されなかった瞬時膜厚のデータ個数を表示器１７に表示させることによりエッチング装置の装置管理や処理ウエハの生産管理を行う事が可能である。
【実施例５】
【００６６】
次に、プラズマの変動がある場合に観測される干渉光や参照光を補正し、膜厚判定を行う第５の実施例について説明する。プラズマの変動（異常）に伴うプラズマ発光の急峻な変化により干渉光は変化し、例えば、図４、図５に示したように、正確な膜厚を求めることが困難となることがある。また、観測される光信号のＳ／Ｎ比を向上するために、ディジタルフィルタ処理や多項式適合平滑化微分処理を用いているので、急峻な発光の変化はこれらの処理により緩和され長い時間にわたり影響が現れる。この影響を回避することは、プラズマ発光に急峻な変化があった場合、ディジタルフィルタ処理や多項式適合平滑化微分処理を一時中断する方法があるが、これらの処理を中断すると瞬時膜厚が求まらず、膜厚判定を行うことが不可能になる。
【００６７】
そこで、プラズマの急峻な変化を検知し、測定に用いている各波長においてその変化量を求め、各変化量に応じて各波長の光信号を補正し、これらの補正した光信号に対してディジタルフィルタ処理や多項式適合平滑化微分処理などの処理を行い、膜厚を求める方法について説明する。
【００６８】
膜厚判定用のデータベースである標準パターンデータを収集する際に、干渉光および参照光の時間変化を測定された発光データに関して、時刻ｉのサンプリング点における変化量（時刻ｉ−１との差分）を各波長毎に調べ、エッチング処理中の最大変化量を干渉光や参照光について求める。これらの一サンプリング当りの最大変化量に基づいてノイズ閾値を設定し、このノイズ閾値を用いて、プラズマの急峻な変化を検知する。
【００６９】
次に、このノイズ閾値以上の変化量があった場合、各波長に対してのそれぞれの補正係数（強度比：Ｓｉ，ｊ＝ｙｉ−１，ｊ／ｙｉ，ｊ）を求め、光信号ｙｉ，ｊをｙ‘ｉ，ｊ＝Ｓｉ，ｊ＊ｙｉ，ｊにより補正する。この補正されたｙ’ｉ，ｊに関してディジタルフィルタ処理や多項式適合平滑化微分処理などの処理を行い、瞬時膜厚Ｚｉを求め判定を行う。
【００７０】
このようにしてプラズマの変動を回避し、膜厚判定を行った第６の実施例にかかる膜圧判定器を備えたプラズマ処理装置の構成を、図１１を用いて説明する。エッチング装置１は真空容器２を備えており、その内部に導入されたエッチングガスがマイクロ波電力等により分解しプラズマとなり、このプラズマ３により試料台５上の半導体ウエハ等の被処理材４がエッチングされる。エッチング量（残存膜厚またはエッチング深さ）測定装置１０の分光器１１が有する測定用光源（例えばハロゲン光源）からの多波長の放射光が、光ファイバー８により真空容器２内に導かれ、被処理材４に垂直入射角で当てられる。被処理材からの干渉光は光ファイバー８を介してエッチング量測定装置１０の分光器１１に導かれ、その状態に基づきシリコンのエッチング膜厚測定や終点判定の処理を行う。
【００７１】
エッチング量測定装置１０は、分光器１１、サンプリングデータ比較器１１０、ノイズ閾値を設定するノイズ値設定器１１１、補正係数記録器・表示器１１３、サンプリングデータ補正器１１２、第１ディジタルフィルタ回路１２、微分器１３、第２ディジタルフィルタ回路１４、微分波形比較器１５、微分波形パターンデータベース１６、パターンマッチング偏差比較器１１５、偏差値設定器１１６、残膜厚さ時系列データ記録器１８、回帰分析器１９、終点判定器２３０および判定器の結果を表示する表示器１７を備えている。
【００７２】
分光器１１が取り込んだ多波長の発光強度は、それぞれ発光強度に応じた電流検出信号となり電圧信号へ変換される。分光器１１によりサンプリング信号として出力された複数の特定波長（ｊ個）の信号は、サンプリングデータ比較器１１０において、ノイズ値設定器１１１に予め設定された値と比較され、信号の変化値がノイズ値以上であれば、サンプリングデータ補正器１１２において、信号の変化がないように時系列データｙｉ，ｊを補正する。その時の補正係数は、補正係数記録器・表示器１１３に収納される。このように、瞬間的に変化した信号の補正された時系列データｙ‘ｉ，ｊは、ＲＡＭ等の記憶装置に収納される。時刻ｉにおける時系列データｙ’ｉ，ｊは次に、第１ディジタルフィルタ回路１２により平滑化処理され平滑化時系列データＹｉ，ｊとしてＲＡＭ等の記憶装置に収納される。この平滑化時系列データＹｉ，ｊを基に、微分器１３により微係数値（１次微分値あるいは２次微分値）の時系列データｄｉ，ｊが算出され、ＲＡＭ等の記憶装置に収納される。微係数値の時系列データｄｉ，ｊは、第２ディジタルフィルタ回路１４により、平滑化処理され平滑化微係数時系列データＤｉ，ｊとしてＲＡＭ等の記憶装置に収納される。そして、この平滑化微係数時系列データＤｉ，ｊから干渉光強度の微分値の波長依存性を示す（波長をパラメータとする）実パターンが求められる。
【００７３】
一方、微分波形パターンデータベース１６には、エッチング量測定の対象となる被処理材の膜厚ｓに対応した前記各波長に対する干渉光強度の微分波形パターンデータ値ＰＳjが予め設定されている。微分波形比較器１５において、実パターンと膜厚ｓの微分波形パターンデータ値ＰＳjが比較される。パターンマッチング偏差比較器１１５において、パターンマッチング偏差（σｓ＝√（Σj（Ｄｉ，ｊ−ＰＳj）×（Ｄｉ，ｊ−ＰＳj）／ｊ））が最小となるパターンマッチング偏差値（最小）σｓを求め、偏差値設定器１１６に予め設定された偏差値σ０と比較し、パターンマッチング偏差値（最小）σｓがパターンマッチング偏差値（設定）σ０以下であれば時刻ｉの瞬時膜厚として膜厚値ｓを膜厚時系列データ記録器１８に保存する。パターンマッチング偏差値（最小）σｓがパターンマッチング偏差値（設定）σ０以上の時は保存しない。回帰分析器１９において、時刻ｉ以前の瞬時膜厚データＺｉを用いた回帰直線近似より時刻ｉの計算膜厚Ｆを求める。この計算膜厚Ｆが予め設定された目標膜厚以下であるかどうかを終点判定器２３０で判定する。以上の処理により求められた被処理材のエッチング量の結果は、結果表示器１７により表示される。
【００７４】
（変形例）
図１１の構成図では、干渉光の処理手段について記載されているが、第５の実施例の変形例では、外部光源からの光による干渉光測定ではなく、プラズマ光を利用した干渉光測定の処理手段に関しては、図１２に示すように、エッチング処理容器２の側壁に設けたプラズマ光測定手段１００１と、分光器１００３と、サンプリングデータ比較器１１１０と、ノイズ値設定器１１１１とを備えている。また、プラズマ光測定手段として、図１３に示すように、エッチング処理容器２の底部に設けたプラズマ光測定手段１００２と、分光器１００３と、サンプリングデータ比較器１１１０と、ノイズ値設定器１１１１とを備えても良い。これらの装置は、図１１の分光器１０３、サンプリングデータ比較器１１０、ノイズ値設定器１１１と同等に動作する。サンプリングデータ比較器１１１０の出力は図１１のサンプリングデータ比較器１１０の出力と同様にサンプリングデータ補正器１１２を介して第１ディジタルフィルタ１２へ出力される。
【００７５】
次に、図１４のフローチャートにより、図１１のエッチング量測定装置１０でエッチング処理を行う際に、被処理材のエッチング量を求める手順について説明する。
【００７６】
最初に、目標エッチング量(目標残存膜厚値)の設定と標準微分パターンデータベースより波長域（少なくとも３個の波長域）の抽出された微分パターンＰＳｊと偏差値σ０とノイズ値Ｎの設定を行う（ステップ２６００）。すなわち、予め微分波形パターンデータベース１５、２５に被処理材の処理条件に応じて必要とされるエッチング量ｓに対応した標準微分パターンを設定する。
【００７７】
次のステップにおいて、干渉光のサンプリング（例えば０．２５〜０．５秒毎に）を開始する（ステップ２６０１）。すなわち、エッチング処理開始に伴い、サンプリング開始命令が出される。エッチングの進行に従って変化する多波長の発光強度が、光検出器により発光強度に応じた電圧の光検出信号として検出される。分光器１１の光検出信号はディジタル変換され、時刻ｉのサンプリング信号ｙｉ，ｊを取得する。
【００７８】
次に、分光器１１からの多波長出力信号ｙｉ，ｊを時刻ｉ−１の信号ｙｉ−１，ｊとの差を求める（ステップ２６０４）。この差ｙｉ，ｊ−ｙｉ−１，ｊがノイズ値設定器１１１に予め設定された値Ｎより大きいかどうかを、サンプリングデータ比較器１１０を用いて判定する（ステップ２６２０）。図１２、図１３の例の場合には、時刻ｉ−１およびｉのプラズマ発光に関する出力信号についてノイズ値設定器１１１１にあらかじめ設定された値より大きいかどうかを、サンプリングデータ比較器１１１０を用いて判定する。大きい場合は、変化の割合、すなわち補正係数をＳｉ，ｊ＝ｙｉ−１，ｊ／ｙｉ，ｊにより求める（ステップ２６２１）。また、小さい場合は、補正係数はＳｉ，ｊ＝１とする（ステップ２６２２）。この補正係数により分光器からの多波長出力信号ｙｉ，ｊはｙ‘ｉ，ｊ＝Ｓｉ，ｊ×ｙｉ，ｊと補正される（ステップ２６２３）。なお、この補正係数値は補正係数記録器・表示器１１３に収納したり表示したりし、エッチングプロセスの量産管理に用いる。このように補正された信号ｙ‘ｉ，ｊは第１段目のディジタルフィルタ１２に送信されて平滑化され、時系列データＹｉ，ｊが算出される（ステップ２６０２）。すなわち、第１段目のディジタルフィルタによりノイズを低減し、平滑化時系列データＹｉ，ｊを求める。
【００７９】
次に、微分器１３において、Ｓ−Ｇ法により、微係数ｄｉ，ｊを算出する（ステップ２６０３）。すなわち、微分処理（Ｓ−Ｇ法）により信号波形の係数（１次または２次）ｄｉを求める。さらに、第２段目のディジタルフィルタ１４により平滑化微係数時系列データＤｉ，ｊを算出する（ステップ２６０４）。そして、微分波形比較器１５において、σｓ＝√（Σ(Ｄｉ，ｊ−ＰＳｊ)2／ｊ）値の算出を行い、膜厚ｓに対するマッチングパターン偏差値(最小)σｓのもっとも小さい最小値σを求める（ステップ２６０５）。次に、パターンマッチング偏差比較器１１５において、（σｓ：マッチングパターン偏差値(最小)、σ０：マッチングパターン偏差値(設定)）の判定を行い（ステップ２６０６）、σｓ≦σ０の場合、被処理材膜厚が膜厚ｓになったものとして時刻ｉの瞬時膜厚を残膜厚さ時系列データ記録器１８に保存する（ステップ２６０７）。σｓ≦σ０でない場合、時刻ｉの瞬時膜厚は標準微分パターンのデータベースからは求まらず、瞬時膜厚は残膜厚さ時系列データ記録器１８に保存しない（ステップ２６０８）。これらの平滑化微係数時系列データＤｉ，ｊと予め微分波形比較器１５に設定された微分パターンＰＺｊを比較し、その時刻での残膜値Ｚｉを算出する（ステップ２６１５）。次に、収納された過去の時系列データＺｉを用いて、回帰分析器１９により１次回帰直線Ｙ＝Ｘａ×ｔ＋Ｘｂ（Ｙ：残膜量、ｔ：エッチング時間、Ｘａ：絶対値がエッチング速度、Ｘｂ：初期膜厚）を求め、この回帰直線より時刻ｉ（現時点）の計算残膜量Ｆを算出する（ステップ２６０９）。次に、終点判定器２３０において、残膜量Ｆと目標残存膜厚さ値を比較し、目標残存膜厚さ値以下であれば被処理材のエッチング量が所定値になったものとしてその結果を表示器１７に表示する（ステップ２６０９）。目標残存膜厚さ値以上である場合、ステップ２６０４に戻り、これらのステップを繰り替えす。最後に、サンプリング終了の設定を行う（ステップ２６１１）。
【００８０】
次に本発明の具体的な例について、図４で示した放電変動がある干渉光測定に関して説明する。ここで用いた膜厚判定用の標準パターンデータの干渉光および参照光の時間変化の一サンプリング当りの最大変化量は以下のように決定した。前記したポリシリコンのエッチング処理（エッチング開始５秒から５５秒までの間）において、標準パターンデータの干渉光の最大変化量は５０カウント、参照光の最大変化量は２０カウントとなっている。したがって、プラズマの急峻な変化を検知するための、ノイズ閾値は最大変化量の２倍から３倍の間の仕様に応じて定められた所定の値である１００カウントおよび５０カウントを設定した。
【００８１】
図１５に、上記処理を行いプラズマの急峻な変化を補正した結果を示す。図１５に示すように、図４に示したエッチング開始後約２５秒に発生していた発光の変動が修正され、干渉光波形や参照光波形の異常変化が低減していることがわかる。この例では、干渉波形のノイズ（異常発光）は小さいため、ノイズ閾値より大きな変化は存在しなかった。しかし、参照光のノイズ（異常発光）は大きく、十分にプラズマの変化を検知でき、その時刻での補正を参照光および干渉光に対して行った。このことにより、干渉光の僅かな変動も補正することができる。これらの処理により、エッチング中の求められる瞬時膜厚の推移は安定に得られることがわかる。
【００８２】
この例では、プラズマの急峻な変化を検知する手段として参照光を用いているが、プラズマ生成用電力の反射パワーやマッチングポイント、またはウエハに印加するバイアスの反射パワーやマッチングポイントの値をモニターし、その値の変化を用いてもよい。
【００８３】
また、ここでは、補正係数はＳi,j＝ｙi-1,j ／ ｙi,jにより求めているが、時刻i-1以前の複数個の波形データの平均値を用いてもよく、さらに、過去の時系列データに関するラグランジュ補間法やスプライン補間法などの補間法を用いた滑らかな曲線による時刻i-1の近似値を用いてもよい。また、補正係数により修正した時刻iの発光データに対して、ラグランジュ補間法やスプライン補間法を適用して時刻iの発光データを、さらに、修正してもよい。さらに、図１２、図１３の例においては、試料表面からの干渉光を用いる場合と同様に、プラズマ発光に関するサンプリングデータ比較器１１１０の比較結果に基づいて得られた補正係数を用いて干渉光のサンプリングデータを補正しても良い。また、任意の時刻でノイズの閾値を越えたことが検出された場合に、少なくとも１時刻のあらかじめ定められた回数の時刻で前述の回帰分析を用いた演算により膜厚さを検出して、なお後の時刻でノイズ閾値を越えたことが検出された際に補正係数を用いて膜圧の検出を行うようにしてもよい。
【００８４】
ノイズ閾値を超えた回数は、エッチング処理が正常に行われた場合、ゼロであるが、エッチング装置の経時変化によって装置のエッチング特性が変わりプラズマ状態が悪化すると、増加する。したがって、量産工程では、ノイズ閾値を超えた回数を表示器１７に表示させることによりエッチング装置の装置管理を行う事が可能である。
【００８５】
本発明によれば、プラズマ処理の、特にプラズマエッチング処理において、被処理材のエッチング量をオンラインで正確に測定することが膜厚測定方法とそれを用いたプロセスの終点判定方法を提供することができる。
【００８６】
また、半導体デバイスの被エッチング層をオンラインで所定のエッチング量になるように高精度に制御できるエッチングプロセスを提供することができる。さらに、被処理層の実際のエッチング量をオンラインで正確に測定することのできる被処理材のエッチング量測定装置を提供することができる。
【図面の簡単な説明】
【００８７】
【図１】本発明の第１の実施例によるエッチング量測定装置を備えた半導体ウエハのエッチング装置の全体構成を示すブロック図である。
【図２】図１のエッチング量測定装置を用いてエッチング処理を行う際に、被処理材の残膜厚さを求める手順を示すフローチャートである。
【図３】本発明の第１の実施例の正常なエッチング処理中の干渉光や参照光の時間変化と膜厚推移の結果を示す図である。
【図４】本発明の第１の実施例の放電変動がある場合の干渉光や参照光の時間変化と膜厚推移の結果を示す図である。
【図５】本発明の第１の実施例の最小膜厚設定処理を行った場合の干渉光や参照光の時間変化と膜厚推移の結果を示す図である。
【図６】本発明の第２の実施例のパターンマッチング偏差処理を行った場合の干渉光や参照光の時間変化と膜厚推移の結果を示す図である。
【図７】本発明の第３の実施例の膜厚許容範囲処理を行った場合の干渉光や参照光の時間変化と膜厚推移の結果を示す図である。
【図８】本発明の第４の実施例による膜厚比較とエッチング速度比較を行うエッチング量測定装置を備えた半導体ウエハのエッチング装置の全体構成を示すブロック図である。
【図９】図８のエッチング量測定装置を用いてエッチング処理を行う際に、被処理材の残膜厚さを求める手順を示すフローチャートである。
【図１０】本発明の第５の実施例のエッチング速度許容範囲処理を行った場合の干渉光や参照光の時間変化と膜厚推移の結果を示す図である。
【図１１】本発明の第５の実施例によるエッチング量測定装置を備えた半導体ウエハのエッチング装置の全体構成を示すブロック図である。
【図１２】本発明の第５の実施例の変形例による参照光測定装置を備えた半導体ウエハのエッチング装置の全体構成を示すブロック図である。
【図１３】本発明の第５の実施例の変形例による参照光測定装置を備えた半導体ウエハのエッチング装置の全体構成を示すブロック図である。
【図１４】図１１のエッチング量測定装置を用いてエッチング処理を行う際に、被処理材の残膜厚さを求める手順を示すフローチャートである。
【図１５】本発明の第５の実施例の干渉光や参照光の時間変化と膜厚推移の結果を示す図である。
【符号の説明】
【００８８】
１‥‥エッチング装置、２‥‥真空容器、３‥‥プラズマ、４‥‥被処理材、５‥‥試料台、８‥‥光ファイバー、９‥‥放射光、１０‥‥測定装置、１１‥‥分光器、１２‥‥第１ディジタルフィルタ回路、１３‥‥微分器、１４‥‥第２ディジタルフィルタ回路、１５‥‥微分波形比較器、１６‥‥微分波形パターンデータベース、１１５‥‥パターンマッチング偏差比較器、１１６‥‥偏差値設定器、１８‥‥残膜厚さ時系列データ記録器、１９‥‥回帰分析器、２３０‥‥終点判定器、１７‥‥表示器１７、１１０‥‥サンプリングデータ比較器、１１１‥‥ノイズ値設定器、１１２‥‥サンプリングデータ補正器、１１３‥‥補正係数記録器・表示器、１００１，１００２‥‥プラズマ光測定手段、１００３‥‥分光器、１１１０‥‥サンプリングデータ比較器、１１１１‥‥ノイズ値設定器。
【図１】
0004833687.tif 000002
【図２】
0004833687.tif 000003
【図３】
0004833687.tif 000004
【図４】
0004833687.tif 000005
【図５】
0004833687.tif 000006
【図６】
0004833687.tif 000007
【図７】
0004833687.tif 000008
【図８】
0004833687.tif 000009
【図９】
0004833687.tif 000010
【図１０】
0004833687.tif 000011
【図１１】
0004833687.tif 000012
【図１２】
0004833687.tif 000013
【図１３】
0004833687.tif 000014
【図１４】
0004833687.tif 000015
【図１５】
0004833687.tif 000016